(57)【要約】【課題】装置の一部の紛失を防止すると共に、装置コストを増大させることなく、使用者の操作性を向上させることができる多機能周辺装置を提供すること。【解決手段】ハンドセット３に配設された操作キー３ｅを操作することにより、各種機能を実行することができる。よって、載置された原稿が原稿載置部４に収まりきらない場合でも、ハンドセット３に配設された操作キー３ｅは原稿に覆われることがない。従って、原稿を曲げながら操作キーを操作するという作業が不要となるので、使用者の操作性を向上させることができる。また、操作キー３ｅが配設されたハンドセット３を装置本体２に有線接続したので、操作キー３ｅが配設されたハンドセット３を紛失することがない。【選択図】図１
2007221461.tif 000002
【特許請求の範囲】
【請求項１】
原稿が載置される原稿載置部を有し、その原稿載置部に載置された原稿の画像を読み取る装置本体と、その装置本体で原稿の画像を読み取らせるために操作される１又は複数の操作キーと、その操作キーで操作された情報を表示する本体表示部とを備えた多機能周辺装置において、
前記装置本体とは別体であってその装置本体に有線接続されると共に、前記操作キーの少なくとも一部が配設される外部装置を備えていることを特徴とする多機能周辺装置。
【請求項２】
前記外部装置は、その外部装置の一部である被開閉部と、その被開閉部を閉塞及び開放する開閉蓋とを備え、
前記装置本体で原稿の画像を読み取らせるために操作される操作キーの少なくとも一部は、その被開閉部又は開閉蓋の少なくとも一方に設けられていることを特徴とする請求項１記載の多機能周辺装置。
【請求項３】
前記外部装置の被開閉部又は開閉蓋の少なくとも他方には、前記被開閉部又は開閉蓋の一方に設けられた操作キーで操作された情報を表示する外表示部が配設されていることを特徴とする請求項２記載の多機能周辺装置。
【請求項４】
前記操作キーの少なくとも一部、又は前記操作キーの少なくとも一部及び前記外表示部は、前記開閉蓋が前記被開閉部に閉塞された状態で内部に設けられていることを特徴とする請求項２又は３に記載の多機能周辺装置。
【請求項５】
前記装置本体で原稿の画像を読み取らせるために操作される操作キーは、前記外部装置にのみ配設されていることを特徴とする請求項１から４のいずれかに記載の多機能周辺装置。
【請求項６】
前記多機能周辺装置は、回線が閉結された相手側装置と通話するために設けられる電話装置を備えると共に、
前記外部装置は、回線が閉結された相手側装置からの音声が伝送される受話部と、回線が閉結された相手側装置へ音声を伝送する送話部とを備えていることを特徴とする請求項１から５のいずれかに記載の多機能周辺装置。
【請求項７】
前記多機能周辺装置は、前記装置本体で原稿の画像を読み取らせるために操作される操作キーにより操作されると共に、その装置本体により読み取られた原稿の画像を印刷する印刷装置を備えていることを特徴とする請求項１から６のいずれかに記載の多機能周辺装置。
【発明の詳細な説明】
【技術分野】
【０００１】
本発明は、多機能周辺装置に関し、特に、装置コストを低減することができると共に、使用者の操作性を向上させることができる多機能周辺装置に関するものである。
【背景技術】
【０００２】
従来より、装置本体の原稿載置部に載置された原稿の画像を読み取る多機能周辺装置が知られている。例えば、特開平１０−１１７２６３号公報（特許文献１）には、原稿１１ａが載置されるプラテンガラス１１を有し、そのプラテンガラス１１に載置された原稿１１ａの画像を読み取る装置本体と、その装置本体を操作するために設けられる操作部１３ｂと、その操作部１３ｂで操作された情報を表示する液晶表示器１３ａとを備えた複合装置が開示されている。かかる複合装置のコピー機能を使用する場合、使用者は、原稿１１ａをプラテンガラス１１に載置してから、液晶表示器１３ａ及び操作部１３ｂを視認しつつ、操作部１３ｂを操作する。これにより、装置本体によって原稿１１ａの画像が読み取られる。
【特許文献１】特開平１０−１１７２６３号公報
【発明の開示】
【発明が解決しようとする課題】
【０００３】
しかしながら、原稿１１ａがプラテンガラス１１に収まりきらず液晶表示器１３ａ及び操作部１３ｂを覆ってしまう場合、使用者は原稿１１ａを曲げながら操作部１３ｂを操作しなければならず、操作性が悪いという問題点があった。
【０００４】
これに対し、使用者の操作性を向上させるために、操作部１３ｂを装置本体の側面（例えば、上部２１）に配設したり、装置本体とは別体に設けた無線リモコンに操作部を配設することが考えられる。しかし、操作部を装置本体の側面に配設すると、操作部及び液晶表示器を同時に視認しつつ操作部を操作できないので、この場合にも、使用者の操作性が悪いという問題点がある。
【０００５】
また、装置本体とは別体に無線リモコンを設け、これに操作部を配設するものでは、一般に、操作部で操作された情報を装置本体へ発信する無線発信部が無線リモコンに必要となり、無線発信部から発信された情報を受信する無線受信部が装置本体に必要となることから、装置全体の構造が複雑になると共に、装置のコストも高くなるという問題点がある。
【０００６】
さらに、使用者が装置のコピー機能を使用する場合には、画像を読み取らせるために原稿１１ａをプラテンガラス１１に載置しなければならず、原稿１１ａの画像がコピーされた用紙を受け取らなければならないことから、使用者は、装置本体の傍らで操作部を操作するのが通常であり、装置コストを増大させてまで装置本体とは別体に遠隔操作可能な無線リモコンを設ける必要性に乏しい。また、無線リモコンを装置本体とは別体に設けた場合には、無線リモコンを装置本体に繋げておく手段が無い為、無線リモコン自体を紛失する可能性があるという問題点がある。
【０００７】
本発明は、上述した問題点を解決するためになされたものであり、装置の一部の紛失を防止すると共に、装置コストを増大させることなく、使用者の操作性を向上させることができる多機能周辺装置を提供することを目的としている。
【課題を解決するための手段】
【０００８】
この目的を達成するために請求項１記載の多機能周辺装置は、原稿が載置される原稿載置部を有し、その原稿載置部に載置された原稿の画像を読み取る装置本体と、その装置本体で原稿の画像を読み取らせるために操作される１又は複数の操作キーと、その操作キーで操作された情報を表示する本体表示部とを備えたものであり、前記装置本体とは別体であってその装置本体に有線接続されると共に、前記操作キーの少なくとも一部が配設される外部装置を備えている。
【０００９】
請求項２記載の多機能周辺装置は、請求項１記載の多機能周辺装置において、前記外部装置は、その外部装置の一部である被開閉部と、その被開閉部を閉塞及び開放する開閉蓋とを備え、前記装置本体で原稿の画像を読み取らせるために操作される操作キーの少なくとも一部は、その被開閉部又は開閉蓋の少なくとも一方に設けられている。
【００１０】
請求項３記載の多機能周辺装置は、請求項２記載の多機能周辺装置において、前記外部装置の被開閉部又は開閉蓋の少なくとも他方には、前記被開閉部又は開閉蓋の一方に設けられた操作キーで操作された情報を表示する外表示部が配設されている。
【００１１】
請求項４記載の多機能周辺装置は、請求項２又は３に記載の多機能周辺装置において、前記操作キーの少なくとも一部、又は前記操作キーの少なくとも一部及び前記外表示部は、前記開閉蓋が前記被開閉部に閉塞された状態で内部に設けられている。
【００１２】
請求項５記載の多機能周辺装置は、請求項１から４のいずれかに記載の多機能周辺装置において、前記装置本体で原稿の画像を読み取らせるために操作される操作キーは、前記外部装置にのみ配設されている。
【００１３】
請求項６記載の多機能周辺装置は、請求項１から５のいずれかに記載の多機能周辺装置において、前記多機能周辺装置は、回線が閉結された相手側装置と通話するために設けられる電話装置を備えると共に、前記外部装置は、回線が閉結された相手側装置からの音声が伝送される受話部と、回線が閉結された相手側装置へ音声を伝送する送話部とを備えている。
【００１４】
請求項７記載の多機能周辺装置は、請求項１から６のいずれかに記載の多機能周辺装置において、前記多機能周辺装置は、前記装置本体で原稿の画像を読み取らせるために操作される操作キーにより操作されると共に、その装置本体により読み取られた原稿の画像を印刷する印刷装置を備えている。
【発明の効果】
【００１５】
請求項１記載の多機能周辺装置によれば、１又は複数の操作キーが操作されると、その操作キーで操作された情報が本体表示部に表示されると共に、装置本体によりその原稿載置部に載置された原稿の画像が読み取られる。この操作キーの少なくとも一部は、装置本体とは別体であってその装置本体に有線接続される外部装置に配設されている。よって、載置された原稿が原稿載置部に収まりきらない場合でも、外部装置に配設された操作キーは原稿に覆われることがない。従って、原稿を曲げながら操作キーを操作するという作業を軽減でき、その分、使用者の操作性を向上させることができるという効果がある。
【００１６】
また、操作キーの少なくとも一部が外部装置に配設されているので、操作キーを使用者にとって都合の良い位置に配置することができる。例えば、使用者は、使用者自身にとって操作し易い位置、又は外部装置に配設された操作キーと装置本体に設けられた本体表示部とを同時に視認し易い位置に操作キーを配置することができる。従って、使用者は、自分にとって都合の良い位置で操作キーを操作することができ、その分、使用者の操作性を向上させることができるという効果がある。
【００１７】
さらに、外部装置を装置本体に有線接続したので、操作キー（多機能周辺装置に必須の機能である画像読み取り機能を動作させるためのキーであり、この操作キーを紛失するようなことになれば、多機能周辺装置の本質的機能を損なう結果となる。）の少なくとも一部が配設された外部装置を紛失することがないという効果もある。
【００１８】
請求項２記載の多機能周辺装置によれば、請求項１記載の多機能周辺装置の奏する効果に加え、外部装置にはその一部である被開閉部を閉塞又は開放する開閉蓋が設けられているので、開閉蓋が設けられない場合に比べ、外部装置の表面積が大きくなる。ここで、原稿の画像を読み取るために操作される操作キーは、その少なくとも一部が被開閉部又は開閉蓋に配設されているので、外部装置の表面積が大きくなった分のスペースを活用することができる。よって、開閉蓋により被開閉部が閉塞された状態、及び開閉蓋により被開閉部が開放された状態のそれぞれの状態に合わせて、使用者が使用し易いように操作キーをレイアウトすることができるので、その分、使用者の操作性を向上させることができるという効果がある。
【００１９】
請求項３記載の多機能周辺装置によれば、請求項２記載の多機能周辺装置の奏する効果に加え、外部装置の被開閉部又は開閉蓋の少なくとも他方に配設された外表示部は、被開閉部又は開閉蓋の一方に設けられた操作キーで操作された情報を表示する。よって、原稿が原稿載置部に収まりきらず本体表示部を覆う場合でも、使用者は、操作した操作キーの情報が表示された外表示部を視認することができる。即ち、原稿を避けて本体表示部を視認する作業が不要となるので、その分、使用者の操作性を向上させることができるという効果がある。
【００２０】
請求項２に従属する請求項４記載の多機能周辺装置によれば、操作キーの少なくとも一部は、開閉蓋が被開閉部に閉塞された状態で内部に設けられているので、外部装置に衝撃が加わったとしても、多機能周辺装置の本質的機能を司る操作キーの少なくとも一部の損傷を防止することができるという効果がある。
【００２１】
請求項３に従属する請求項４記載の多機能周辺装置によれば、操作キーの少なくとも一部及び外表示部は、開閉蓋が被開閉部に閉塞された状態で内部に設けられているので、外部装置に衝撃が加わったとしても、操作キーの少なくとも一部及び外表示部の損傷を防止することができるという効果がある。
【００２２】
請求項５記載の多機能周辺装置によれば、請求項１から４のいずれかに記載の多機能周辺装置の奏する効果に加え、原稿の画像を読み取らせるために操作される操作キーは外部装置にのみ配設されている。よって、載置された原稿が原稿載置部に収まりきらない場合でも、操作キーの全てが原稿に覆われることがない。従って、原稿を曲げながら操作キーを操作する作業が不要となるので、その分、使用者の操作性を向上させることができるという効果がある。
【００２３】
請求項６記載の多機能周辺装置によれば、請求項１から５のいずれかに記載の多機能周辺装置の奏する効果に加え、外部装置に設けられた受話部により回線が閉結された相手側装置からの音声が伝送され、また、その外部装置に設けられた送話部でその相手側装置へ音声を伝送することにより、外部装置は、多機能周辺装置に設けられた電話装置の受話器として機能する。よって、受話器を外部装置とは別に設ける必要がないので、その分、装置コストを低減することができるという効果がある。
【００２４】
逆に、多機能周辺装置自体が電話機能を有するものであれば、電話装置は標準装備として設けられているので、その電話装置自体を利用して、その受話器に操作キー及び外表示部を設ければよく、外部装置自体を別体として設ける必要がないという効果がある。
【００２５】
請求項７記載の多機能周辺装置によれば、請求項１から６のいずれかに記載の多機能周辺装置の奏する効果に加え、印刷装置は、装置本体で原稿の画像を読み取らせるために操作される操作キーにより操作され、装置本体により読み取られた原稿の画像を印刷する。これにより、使用者は、載置された原稿が原稿載置部に収まりきらない場合でも、外部装置に配設された操作キーを操作することにより、簡単に原稿載置部に載置された原稿の画像をコピーすることができるという効果がある。
【００２６】
即ち、コピー機能を使用する場合、使用者は、原稿を原稿載置部に載置し、また、原稿の画像がコピーされた用紙を受け取るために装置本体の傍らで操作キーを操作するので、装置本体に有線接続された外部装置の操作キーを簡単に操作することができる。
【発明を実施するための最良の形態】
【００２７】
以下、本発明の好ましい実施形態について、添付図面を参照して説明する。図１は、本発明の一実施形態における多機能周辺装置１の外観斜視図である。この多機能周辺装置１は、ファクシミリ機能、プリンタ機能、スキャナ機能、コピー機能、及び電話機能などの各種機能を備えている。
【００２８】
図１に示すように、多機能周辺装置１の装置本体２は箱状体に形成され、その上面前部には矩形状の液晶ディスプレイ（以下「本体ＬＣＤ」と称す）６が設けられ、多機能周辺装置１の設定状態や各種の操作メッセージなどが必要に応じて表示される。なお、多機能周辺装置１が待機状態にある場合には、後述するハンドセット３の操作キー３ｅ（図２参照）を介して設定された現在時間が本体ＬＣＤ６に表示される。
【００２９】
本体ＬＣＤ６の後方（図１左側）には、スキャナ機能の使用時やコピー機能の使用時に原稿が載置される原稿載置部４が設けられている。使用者は、原稿載置部４の上方に開閉可能に設けられる上カバー４ａを開いて、各種原稿を原稿載置部４上に載置する。そして、上カバー４ａを閉じてから操作キー３ｅを操作することにより、スキャナ機能やコピー機能などの各種機能が実行される。
【００３０】
装置本体２の手前側（図１手前側）には、複数枚の用紙（図示せず）を積層収容する給紙トレイ５が装置本体２の矩形状の挿入孔２ａに対して挿脱可能に設けられている。給紙トレイ５に収容された用紙は、挿入孔２ａへ給紙トレイ５が挿入された状態で、給紙トレイ５から装置本体２内へ給紙される。そして、装置本体２内に設けられたインクジェットプリンタ２６（図３参照）で印刷された後、給紙トレイ５の上方に設けられた用紙排出部７上へ排出される。なお、用紙排出部７には、その用紙排出部７から引き出し可能な引出部７ａが設けられている。使用者は、必要に応じて引出部７ａを用紙排出部７から引き出すことにより、排出された用紙を落下させることなく、その用紙を用紙排出部７及び引出部７ａ上で保持することができる。
【００３１】
引出部７ａの上方（図１上方）には、メモリーカード（図示せず）などの記憶媒体が挿入されるスロット部８が設けられている。メモリーカードに記憶されるデータは、メモリーカードがスロット部８へ挿入されてから多機能周辺装置１の内部へ取り込まれ、装置本体２のインクジェットプリンタ２６により印刷される。
【００３２】
装置本体２の側面側（図１左側）には、コード２ｂにより装置本体２と有線接続されるハンドセット３が配設されている。ハンドセット３には、回線が閉結された相手側装置（図示せず）からの音声が伝送される受話部３ａと、相手側装置へ音声を伝送する送話部３ｂと、「０」〜「９」などのボタンを備えた数字ボタン３ｃとが設けられている。これにより、ハンドセット３は、多機能周辺装置１の電話機能時における受話器として機能する。使用者は、数字ボタン３ｃを押下して相手側装置の電話番号を入力し、受話部３ａ及び送話部３ｂを使用して相手側装置の使用者と会話をすることができる。
【００３３】
また、装置本体２の側面にはフック２ｃが取着されており、ハンドセット３は、電話機能における通話時にはフック２ｃから取り上げられて使用され、電話機能における非通話時には数字ボタン３ｃを上方に向けてフック２ｃ上に載置される。なお、ハンドセット３はフック２ｃ上に載置されているので、ハンドセット３に配設される数字ボタン３ｃ及び操作キー３ｅ（図２（ｂ）参照）と、装置本体２に設けられる本体ＬＣＤ６とを、使用者が同時に視認し易くされている。
【００３４】
次に、図２を参照してハンドセット３の詳細について説明する。図２（ａ）は、後述する開閉蓋３ｈを閉じた状態のハンドセット３の平面図であり、図２（ｂ）は、開閉蓋３ｈを開いた状態のハンドセット３の平面図である。
【００３５】
図２（ａ）に示すように、受話部３ａと送話部３ｂとの間には、開閉蓋３ｈが設けられている。この開閉蓋３ｈの左側（図２（ａ）左側）は、ハンドセット３に設けられた蝶番３ｔによって回動可能となっている。使用者は、この開閉蓋３ｈを開閉することで、受話部３ａと送話部３ｂとの間に設けられる被開閉部３ｉ（図２（ｂ）参照）を開放及び閉塞する。なお、上述した数字ボタン３ｃは、開閉蓋３ｈを閉じた状態での開閉蓋３ｈ上に設けられている。
【００３６】
図２（ｂ）に示すように、開閉蓋３ｈを開くと、ハンドセット３から被開閉部３ｉが現れる。この被開閉部３ｉには、ファクシミリ機能、スキャナ機能、及びコピー機能の各種機能時に操作するための操作キー３ｅが配設されている。操作キー３ｅには、ＭＥＮＵボタン３ｇ、矢印ボタン３ｋや決定ボタン３ｍなどの各種ボタンが設けられている。また、開閉蓋３ｈには、操作キー３ｅの一部として、コピー機能を起動させるＣＯＰＹボタン３ｆ、ファクシミリ機能を起動させるＦＡＸボタン３ｎ、及びスキャナ機能を起動させるＳＣＡＮボタン３ｐが配設されている。また、ＣＯＰＹボタン３ｆ、ＦＡＸボタン３ｎ、及びＳＣＡＮボタン３ｐの上方（図２（ｂ）上方）には、外表示部としての矩形状の液晶ディスプレイ（以下「ハンドセットＬＣＤ」と称す）３ｄが設けられている。ハンドセットＬＣＤ３ｄには、本体ＬＣＤ６と同様に、多機能周辺装置１の設定状態や各種の操作メッセージなどが必要に応じて表示されると共に、操作キー３ｅで操作された情報（例えば、コピー機能におけるコピー枚数、コピー濃度、及びコピー倍率や、スキャナ機能における解像度等）が表示される。
【００３７】
次に、図３を参照して多機能周辺装置１の電気的構成を説明する。図３は、多機能周辺装置１の電気的構成を示したブロック図である。図３に示すように、多機能周辺装置１は、ファクシミリユニットＦＵ及びプリンタユニットＰＵの２つのユニットがインターフェイス３０により相互に接続されて構成されている。ファクシミリユニットＦＵは、ＣＰＵ１１、ＲＯＭ１２、ＲＡＭ１３、ＥＥＰＲＯＭ１４、ネットワーク・コントロール・ユニット（以下「ＮＣＵ」と称す）１５、モデム１６、符号器１７、復号器１８、スキャナ１９、ハンドセット３、本体ＬＣＤ６、スロット部８、原稿センサ９、及び計時回路２８を備えており、これらはファクシミリ制御回路２０を介して相互に接続されている。
【００３８】
ＣＰＵ１１は、ファクシミリ制御回路２０に接続された各部を制御したり、ＮＣＵ１５を介して送受信される各種の信号に基づいてファクシミリ動作を実行するものである。ＲＯＭ１２は、後述する図４のフローチャートに示すコピー処理を始め、ＣＰＵ１１により実行される制御プログラムを記憶する書換不能なメモリである。また、このＲＯＭ１２には、図５（ａ）〜（ｆ）に示す画像が記憶される第１画像メッセージ１２ａ、第２画像メッセージ１２ｂ、第３画像メッセージ１２ｃ、第４画像メッセージ１２ｄ、第５画像メッセージ１２ｅ、第６画像メッセージ１２ｆ、及び画像処理プログラム１２ｇが設けられている。各画像メッセージ１２ａ〜１２ｆには、ハンドセットＬＣＤ３ｄ及び本体表示部６に表示させる２つの画像メッセージがそれぞれ記憶されている（図５参照）。各画像メッセージ１２ａ〜１２ｆに記憶されたメッセージは、図４のフローチャートに示すコピー処理の実行に基づいて、ハンドセットＬＣＤ３ｄ及び本体ＬＣＤ６にそれぞれ表示される。これにより、使用者に対して各種情報を視認させ、或いは報知することができる。また、画像処理プログラム１２ｇには、スキャナ１９で読み取られた原稿の画像データ（ＲＧＢデータ）を印刷用データ（ＣＭＹＫデータ）に変換するプログラムが書き込まれている。画像処理プログラム１２ｇで変換された印刷用データは、後述するプリントメモリ２３ａへ書き込まれ、その後、後述するインクジェットプリンタ２６により印刷される。
【００３９】
ＲＡＭ１３は、ＣＰＵ１１の実行時に参照及び更新される各種のワークメモリや各種のデータを記憶するための書換可能なメモリである。ＥＥＰＲＯＭ１４は書換可能な不揮発性のメモリであり、このＥＥＰＲＯＭ１４に記憶されたデータは、多機能周辺装置１の電源オフ後も保持される。ＮＣＵ１５は電話回線５２に対するダイヤル信号の送出や、電話回線５２からの呼出信号の応答等の動作を行うものである。モデム１６は、ＮＣＵ１５を介して、画像データを変調及び復調し、相手ファクシミリ装置５１へ伝送すると共に、伝送制御用の各種手順信号を送受信するためのものである。
【００４０】
符号器１７は、スキャナ１９により読み取られた原稿の画像データなどを、ファクシミリ機能時に圧縮するために符号化するものであり、復号器１８は、受信されたファクシミリデータなどの符号化されたデータを復号化するものである。スキャナ１９は、原稿載置部４に載置された原稿の画像を読み取るためのものである。また、ファクシミリ制御回路２０には、上記したハンドセット３、本体ＬＣＤ６、及びスロット部８が設けられている。原稿センサ９は、原稿載置部４に原稿が載置されているかを検出するセンサである。
【００４１】
計時回路２８は、時間（日付を含む）を計時する回路であり、多機能周辺装置１の電源オフ後も時間の計時を継続するための電池２８ａを備えている。この計時回路２８の時間の初期設定は、ハンドセット３に配設された操作キー３ｅを介して行われる。計時回路２８により計時される時間は、多機能周辺装置１の待機時、即ち、各動作機能の停止時にハンドセットＬＣＤ３ｄ及び本体ＬＣＤ６に出力されて時計表示が行われる。なお、ファクシミリユニットＦＵは、ＮＣＵ１５、電話回線５２を介して、相手ファクシミリ装置５１と接続されている。
【００４２】
プリンタユニットＰＵは、プリンタ制御回路２７に接続された各部を制御する演算装置であるＣＰＵ２１と、後述する図６のフローチャートに示す印刷処理を始め、ＣＰＵ２１により実行される制御プログラムを記憶するＲＯＭ２２と、上記画像処理プログラム１２ｇで変換された印刷用データが書き込まれるプリントメモリ２３ａを備えたＲＡＭ２３と、主装置としてのパーソナルコンピュータ（以下「ＰＣ」と称す）５３が接続されるパソコン用インターフェイス（以下「ＰＣ用インターフェイス」と称す）２４と、印刷用の文字等のベクトルフォントを記憶するキャラクタジェネレータ（以下「ＣＧ」と称す）２５と、プリントメモリ２３ａに書き込まれた印刷用データを印刷するインクジェットプリンタ２６とを備えている。これらはプリンタ制御回路２７を介して相互に接続されている。
【００４３】
なお、ＣＰＵ２１は、ＲＡＭ２３のプリントメモリ２３ａに印刷用データがあるかを常に監視している。画像処理プログラム１２ｇにより変換された印刷用データがプリントメモリ２３ａに書き込まれると、その印刷用データをインクジェットプリンタ２６で給紙トレイ５（図１参照）から給紙された用紙に印刷する。
【００４４】
また、ＰＣ用インターフェイス２４は、例えば、セントロニクス規格に準拠したパラレルインターフェイスであり、多機能周辺装置１は、このパソコン用インターフェイス２４に接続されたケーブル５４を介して、ＰＣ５３とデータの送受信が可能にされている。
【００４５】
次に、図４及び図５を参照して、コピー処理について説明する。図４は、多機能周辺装置１のファクシミリユニットＦＵで定期的に実行されるコピー処理のフローチャートである。また、図５（ａ）〜図５（ｆ）は、そのコピー処理の実行状況により変化するハンドセットＬＣＤ３ｄ及び本体表示部６の表示状態を示した図である。
【００４６】
図４のコピー処理では、先ず、ＣＯＰＹボタン３ｆが押下されているか否かを確認する（Ｓ１１）。ＣＯＰＹボタン３ｆが押下されていなければ（Ｓ１１：Ｎｏ）、コピー処理を終了する。一方、使用者によりＣＯＰＹボタン３ｆが押下されていれば（Ｓ１１：Ｙｅｓ）、第１画像メッセージ１２ａを読み出し、そのメッセージをハンドセットＬＣＤ３ｄ及び本体ＬＣＤ６にそれぞれ表示させる（Ｓ１２，図５（ａ）参照）。このとき、ハンドセットＬＣＤ３ｄ及び本体ＬＣＤ６にはそれぞれ「原稿をセットしてください」と表示される。これにより、使用者に原稿載置部４（図１参照）に原稿を載置するように促す。その後、原稿センサ９が原稿を検出したか否かを確認し（Ｓ１３）、原稿センサ９が原稿を検出しなければ（Ｓ１３：Ｎｏ）、Ｓ１３の処理を繰り返し、原稿センサ９が原稿を検出するまで待機する。
【００４７】
そして、使用者が原稿載置部４に原稿を載置することにより、原稿センサ９が原稿を検出すると（Ｓ１３：Ｙｅｓ）、第２画像メッセージ１２ｂを読み出し、そのメッセージをハンドセットＬＣＤ３ｄ及び本体ＬＣＤ６にそれぞれ表示させる（Ｓ１４，図５（ｂ）参照）。このとき、ハンドセットＬＣＤ３ｄには「設定変更」と表示され、また、本体ＬＣＤ６には主に「コピーの設定をしてください」と表示される。これにより、設定変更をする場合、或いは設定変更をせずにコピーをする場合のいずれかを使用者に選択させる。
【００４８】
その後、ＭＥＮＵキー３ｇが押下されているか否かを確認し（Ｓ１５）、ＭＥＮＵボタン３ｇが押下されていれば（Ｓ１５：Ｙｅｓ）、使用者により設定変更処理（Ｓ１６）が行われる。設定変更処理（Ｓ１６）では、使用者により操作キー３ｅの各種ボタンが操作されることにより、画質モード切替などの各種印刷設定が行われる。設定変更処理（Ｓ１６）が完了すると、処理をＳ１４へ移行して、再度、第２画像メッセージ１２ｂを読み出し、そのメッセージをハンドセットＬＣＤ３ｄ及び本体ＬＣＤ６にそれぞれ表示させる（Ｓ１４）。ＭＥＮＵボタン３ｇが押下されていなければ（Ｓ１５：Ｎｏ）、ＣＯＰＹボタン３ｆの押下を確認する（Ｓ１７）。そして、ＣＯＰＹボタン３ｆが押下されていなければ（Ｓ１１：Ｎｏ）、処理をＳ１５へ移行して、再度、ＭＥＮＵキー３ｇが押下されているか否かを確認する（Ｓ１５）。
【００４９】
一方、ＭＥＮＵボタン３ｇが押下されておらず（Ｓ１５：Ｎｏ）、ＣＯＰＹボタン３ｆが押下されていれば（Ｓ１７：Ｙｅｓ）、第３画像メッセージ１２ｃを読み出し、そのメッセージをハンドセットＬＣＤ３ｄ及び本体ＬＣＤ６にそれぞれ表示させる（Ｓ１８，図５（ｃ）参照）。このとき、ハンドセットＬＣＤ３ｄには「原稿を読み取り中」と表示され、また、本体ＬＣＤ６には「原稿を読取中・・・」と表示される。これにより、原稿の画像を読み取り中であることを使用者へ報知する。
【００５０】
その後、第４画像メッセージ１２ｄを読み出し、そのメッセージをハンドセットＬＣＤ３ｄ及び本体ＬＣＤ６にそれぞれ表示させる（Ｓ１９，図５（ｄ）参照）。このとき、ハンドセットＬＣＤ３ｄには「原稿を読み取り中＋印字中」と表示され、また、本体ＬＣＤ６には「原稿を読取中＋印字中・・・」と表示される。これにより、原稿の画像を読み取り中で、且つインクジェットプリンタ２６により印刷中であることを使用者へ報知する。
【００５１】
そして、スキャナ１９で１ラインの原稿の画像を読み取り（Ｓ２０）、その読み取った画像を画像処理プログラム１２ｇで画像処理して（Ｓ２１）、その画像処理した印刷用データをプリントメモリ２３ａへ書き込む（Ｓ２２）。そして、全画像の読み取りが完了していなければ（Ｓ２３：Ｎｏ）、処理をＳ２０へ移行して、再度、Ｓ２０からＳ２２の処理を繰り返す。その後、全画像の読み取りが完了していれば（Ｓ２３：Ｙｅｓ）、第５画像メッセージ１２ｅを読み出し、そのメッセージをハンドセットＬＣＤ３ｄ及び本体ＬＣＤ６にそれぞれ表示させる（Ｓ２４，図５（ｅ）参照）。このとき、ハンドセットＬＣＤ３ｄには「印字中」と表示され、また、本体ＬＣＤ６には「印字中・・・」と表示される。これにより、原稿の画像の読み取りは完了しており、あとは印刷のみであることを使用者へ報知する。
【００５２】
その後、プリンタユニットＰＵからの印刷終了指示が有ったか否かを確認する（Ｓ２５）。プリンタユニットＰＵからの印刷終了指示とは、印刷処理のＳ３５の処理が該当する（図６参照）。このＳ３５の処理は、インクジェットプリンタ２６での印刷が完了したことをファクシミリユニットＦＵへ指示するプログラムである。プリンタユニットＰＵからの終了指示が無かった場合（Ｓ２５：Ｎｏ）、Ｓ２５の処理を繰り返し、プリンタユニットＰＵからの印刷終了指示が有るまで待機する。そして、プリンタユニットＰＵからの印刷終了指示が有った場合（Ｓ２５：Ｙｅｓ）、第６画像メッセージ１２ｆを読み出し、そのメッセージをハンドセットＬＣＤ３ｄ及び本体ＬＣＤ６にそれぞれ表示させ（Ｓ２６，図５（ｆ）参照）、その後、このコピー処理を終了する。このとき、ハンドセットＬＣＤ３ｄには「コピー完了」と表示され、また、本体ＬＣＤ６には「コピーを完了しました」と表示される。これにより、印刷を終了したことを使用者へ報知する。
【００５３】
次に、図６を参照して、印刷処理について説明する。図６は、多機能周辺装置１のプリンタユニットＰＵで定期的に実行される印刷処理のフローチャートである。
【００５４】
図６の印刷処理では、先ず、プリントメモリ２３ａに印刷用データが書き込まれているか否かを確認し（Ｓ３１）、プリントメモリ２３ａに印刷用データが書き込まれていなければ（Ｓ３１：Ｎｏ）、印刷処理を終了する。一方、プリントメモリ２３ａに印刷用データが書き込まれていれば（Ｓ３１：Ｙｅｓ）、プリントメモリ２３ａの印刷用データを１ライン分インクジェットプリンタ２６へ出力して印刷する（Ｓ３２）。そして、プリントメモリ２３ａの印刷用データの印刷が全て終了していなければ（Ｓ３３：Ｎｏ）、処理をＳ３２へ移行し、プリントメモリ２３ａの印刷用データを全て印刷するまでＳ３２からＳ３３の処理を繰り返す。
【００５５】
プリントメモリ２３ａの印刷用データを全て印刷すると（Ｓ３３：Ｙｅｓ）、プリントメモリ２３ａに書き込まれた印刷用データを消去する（Ｓ３４）。そして、ファクシミリユニットＦＵへ印刷終了を指示し（Ｓ３５）、この印刷処理を終了する。なお、Ｓ３５の処理よりファクシミリユニットＦＵへ印刷終了の指示がされると、ハンドセットＬＣＤ３ｄ及び本体ＬＣＤ６には第６画像メッセージ１２ｆに記憶されるメッセージ（図５（ｆ）参照）がそれぞれ表示され、ファクシミリユニットＦＵにおけるコピー処理も終了する。
【００５６】
よって、本実施形態の多機能周辺装置１によれば、ハンドセット３に配設された操作キー３ｅが操作されると、その操作キー３ｅで操作された情報が本体ＬＣＤ６に表示される。使用者は、ハンドセット３に配設された操作キー３ｅを操作することにより、ファクシミリ機能、スキャナ機能、及びコピー機能の各種機能を実行することができる。よって、載置された原稿が原稿載置部４に収まりきらない場合でも、ハンドセット３に配設された操作キー３ｅは原稿に覆われることがない。従って、原稿を曲げながら操作キーを操作するという作業が不要となるので、その分、使用者の操作性を向上させることができる。
【００５７】
また、操作キー３ｅがハンドセット３に配設されているので、操作キー３ｅを使用者にとって都合の良い位置に配置することができる。即ち、ハンドセット３は、電話機能の非通話時において、フック２ｃ（図１参照）上に載置されることで、装置本体２に設けられる本体ＬＣＤ６を同時に視認させ易くされている。よって、ファクシミリ機能、スキャナ機能、及びコピー機能を使用する場合、使用者は、開閉蓋３ｈを開くことで、ハンドセット３に配設された操作キー３ｅと装置本体２に設けられた本体ＬＣＤ６とを同時に視認しつつ、操作キー３ｅを操作することができる。また、使用者は、必要に応じて、使用者自身にとって操作し易い位置へハンドセット３を移動させ、ハンドセット３に配設された操作キー３ｅを操作することができる。従って、その分、使用者の操作性を向上させることができる。
【００５８】
また、ハンドセット３を装置本体２に有線接続したので、操作キー３ｅが配設されたハンドセット３を紛失することがない。
【００５９】
また、操作キー３ｅ及びハンドセットＬＣＤ３ｄは、開閉蓋３ｈが被開閉部３ｉに閉塞された状態で内部に設けられているので、ハンドセット３に衝撃が加わったとしても、多機能周辺装置１の本質的機能を司る操作キー３ｅの損傷を防止することができる。
【００６０】
また、ハンドセット３を装置本体２に有線接続したので、操作キー３ｅが配設されたハンドセット３を紛失することがない。
【００６１】
また、操作キー３ｅ及びハンドセットＬＣＤ３ｄは、開閉蓋３ｈが被開閉部３ｉに閉塞された状態で内部に設けられているので、ハンドセット３に衝撃が加わったとしても、多機能周辺装置１の本質的機能を司る操作キー３ｅの損傷を防止することができる。
【００６２】
また、ハンドセット３には被開閉部３ｉと開閉蓋３ｈとが設けられているので、開閉蓋３ｈが設けられない場合に比べ、ハンドセット３の表面積が大きくなる。ハンドセット３に配設された操作キー３ｅは、開閉蓋３ｈを開いた状態で被開閉部３ｉ及び開閉蓋３ｈに配設されているので、ハンドセット３の表面積が大きくなった分のスペースを活用することができる。
【００６３】
よって、ハンドセット３において、開閉蓋３ｈを開いた状態、及び開閉蓋３ｈを閉じた状態のそれぞれの状態に合わせて、使用者が使用し易いように操作キー３ｅをレイアウトすることができる。例えば、本実施形態のハンドセット３は、開閉蓋３ｈを開くと操作キー３ｅの各種ボタンが操作可能な状態となり、開閉蓋３ｈを閉じると数字ボタン３ｃが操作可能な状態となる。よって、電話機能を一番頻繁に使用する場合、使用者は、わざわざ開閉蓋３ｈを開かなくても数字ボタン３ｃを操作することができる。このように、電話機能、ファクシミリ機能、スキャナ機能、及びコピー機能の各種機能の内、使用する頻度が高い機能のボタンが開閉蓋３ｈを閉じた状態で操作可能になると、わざわざ開閉蓋３ｈを開かなくてもそのボタンを操作することができ、その分、使用者の操作性を向上させることができる。
【００６４】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００６５】
上記実施形態では、操作キー３ｅの各種ボタンの全てがハンドセット３に配設されたが、必ずしもこれに限られるものではなく、操作キー３ｅの一部（例えば、矢印ボタン３ｋや決定ボタン３ｍ）を装置本体２に配設しても良い。また、上記実施形態では、ハンドセット３にハンドセットＬＣＤ３ｄを設けたが、必ずしもこれに限られるものではなく、ハンドセット３にはハンドセットＬＣＤ３ｄを配設しなくても良い。
【００６６】
また、上記実施形態では、ＣＯＰＹボタン３ｆ、ＦＡＸボタン３ｎ、及びＳＣＡＮボタン３ｐの操作キー３ｅは開閉蓋３ｈを開くと操作可能な状態になったが、必ずしもこれに限られるものではなく、その操作キー３ｅは、開閉蓋３ｈを閉じると操作可能な状態になるように配設されても良い。かかる場合においても、その操作キー３ｅはハンドセット３に配設されているので、載置された原稿が原稿載置部４に収まりきらない場合でも、ハンドセット３に配設された操作キー３ｅは原稿に覆われることがない。よって、原稿を曲げながら操作キー３ｅを操作する作業を少なくすることができるので、その分、使用者の操作性を向上させることができるのである。
【図面の簡単な説明】
【００６７】
【図１】本発明の一実施形態における多機能周辺装置の外観斜視図である。
【図２】（ａ）は、開閉蓋を閉じた状態のハンドセットの平面図であり、（ｂ）は、開閉蓋を開いた状態のハンドセットの平面図である。
【図３】多機能周辺装置の電気的構成を示したブロック図である。
【図４】多機能周辺装置のファクシミリユニットで定期的に実行されるコピー処理のフローチャートである。
【図５】（ａ）〜（ｆ）は、コピー処理の実行状況により変化するハンドセットＬＣＤ３ｄ及び本体表示部６の表示状態を示した図である。
【図６】多機能周辺装置のプリンタユニットで定期的に実行される印刷処理のフローチャートである。
【符号の説明】
【００６８】
１              多機能周辺装置
２              装置本体
３              ハンドセット（外部装置）
３ａ            受話部
３ｂ            送話部
３ｄ            ハンドセットＬＣＤ（外表示部）
３ｅ            操作キー
３ｈ            開閉蓋
３ｉ            被開閉部
６              本体ＬＣＤ（本体表示部）
【図１】
2007221461.tif 000003
【図２】
2007221461.tif 000004
【図３】
2007221461.tif 000005
【図４】
2007221461.tif 000006
【図５】
2007221461.tif 000007
【図６】
2007221461.tif 000008